(57)【要約】【課題】簡易に設置可能であり、住宅等の建物のエクステリアを演出するのに適した装飾ポール及びこれを用いた装飾ポールフェンス。【解決手段】地面に設置される支柱体と、支柱体の先端部に取り付けられる装飾体とを備えてなり、支柱体が支柱体を貫通する貫通孔を有し、貫通孔によって支柱体の中心部を中心として互いに対向して支柱体の周面にそれぞれ形成される２つの開口部の近傍における貫通孔内にそれぞれ連結具の先端が掛止される掛止部が設けられている装飾ポール。前記装飾ポールの複数本を地面に設置し、複数本の装飾ポールの中の一の装飾ポールにおける掛止部の中の一つの掛止部に連結具の一方の先端を掛止し、複数本の装飾ポールの中の一本であって前記一の装飾ポールに隣接して設置されている他の装飾ポールにおける掛止部の中の一つの掛止部に前記連結具の他方の先端を掛止してなる装飾ポールフェンス。【選択図】図１
2016079656.tif 000002
【特許請求の範囲】
【請求項１】
地面に設置される支柱体と、当該支柱体の先端部に取り付けられる装飾体とを備えてなり、
前記支柱体が前記支柱体を貫通する貫通孔を有し、
前記貫通孔によって前記支柱体の中心部を中心として互いに対向して前記支柱体の周面にそれぞれ形成される２つの開口部の近傍における前記貫通孔内にそれぞれ連結具の先端が掛止される掛止部が設けられている
装飾ポール。
【請求項２】
前記掛止部は前記貫通孔を横断する棒状体からなる
請求項１記載の装飾ポール。
【請求項３】
請求項１又は２記載の装飾ポールの複数本を地面に設置し、
前記複数本の前記装飾ポールの中の一の装飾ポールにおける前記掛止部の中の一つの掛止部に前記連結具の一方の先端を掛止し、前記複数本の前記装飾ポールの中の一本であって前記一の装飾ポールに隣接して設置されている他の装飾ポールにおける前記掛止部の中の一つの掛止部に前記連結具の他方の先端を掛止してなる
装飾ポールフェンス。
【請求項４】
前記装飾ポールが、前記装飾ポールフェンスにおける端柱、中間柱、中間貫通柱のいずれかとして使用されている
請求項３記載の装飾ポールフェンス。
【発明の詳細な説明】
【技術分野】
【０００１】
この発明は地面に設置する装飾ポール及びこれを用いた装飾ポールフェンスに関する。
【背景技術】
【０００２】
駐車場等の公共の場所や、住宅等の敷地に設置されるフェンスには種々のものが知られている。例えば、特許文献１には、逆U字状のフェンス本体の両側の脚部を路面に埋設した交通規制用フェンスが提案されている。また、特許文献２の図４（ｃ）には、複数のポール間に柔軟なロープを架け渡した路面ポール及びこれを用いた遮蔽体が提案されている。
【先行技術文献】
【特許文献】
【０００３】
【特許文献１】特開平８−３３８０１０号公報
【特許文献２】特開２０００−１７９１７７号公報
【発明の概要】
【発明が解決しようとする課題】
【０００４】
この発明は、簡易に設置可能であり、住宅等の建物のエクステリアに適した装飾ポール及びこれを用いた装飾ポールフェンスを提供することを目的とする。
【課題を解決するための手段】
【０００５】
地面に設置される支柱体と、当該支柱体の先端部に取り付けられる装飾体とを備えてなり、
前記支柱体が前記支柱体を貫通する貫通孔を有し、
前記貫通孔によって前記支柱体の中心部を中心として互いに対向して前記支柱体の周面にそれぞれ形成される２つの開口部の近傍における前記貫通孔内にそれぞれ連結具の先端が掛止される掛止部が設けられている
装飾ポールである。
【０００６】
前記装飾ポールの複数本を地面に設置し、
前記複数本の前記装飾ポールの中の一の装飾ポールにおける前記掛止部の中の一つの掛止部に前記連結具の一方の先端を掛止し、前記複数本の前記装飾ポールの中の一本であって前記一の装飾ポールに隣接して設置されている他の装飾ポールにおける前記掛止部の中の一つの掛止部に前記連結具の他方の先端を掛止してなる
装飾ポールフェンスである。
【０００７】
これらによって所期の目的の達成を図るものである。
【発明の効果】
【０００８】
この発明によれば、簡易に設置可能であり、住宅等の建物のエクステリア（隣家との開放的な境界、家と歩道との境界など）に又、環境づくりの為の植栽帯保護柵、等に適した装飾ポール及びこれを用いた装飾ポールフェンスを提供することができる。
【図面の簡単な説明】
【０００９】
【図１】本発明の装飾ポールの一例を表す図であって、（ａ）台座にポールの基端部を接続した状態、（ｂ）地面にポールの基端部を埋設した状態を表す図である。
【図２】装飾ポールを構成する装飾体と装飾ポールの先端部への取り付けを例示した図である。
【図３】装飾ポールに設けられている掛止部の一例を表す図であって、（ａ）一部を省略した正面図、（ｂ）一部を省略した側部断面図である。
【図４】掛止部に連結具を掛止させる一例を表す図であって、（ａ）一部を省略した正面図、（ｂ）一部を省略した側部断面図である。
【図５】本発明の装飾ポールフェンスの一例を表す図である。
【発明を実施するための形態】
【００１０】
以下、添付図面を参照して、本発明の実施形態の一例を説明する。
【００１１】
本発明の装飾ポール１は、住宅などの敷地や、路面などの地面に設置される支柱体２と、支柱体２の先端部２ａに取り付けられる装飾体３ａとを備えている（図１）。
【００１２】
ここで、支柱体２は、支柱体２を貫通する貫通孔５を備えている。この貫通孔５によって支柱体２の中心部を中心として互いに対向して支柱体２の周面にそれぞれ開口部６、６が形成される（図３（ｂ））。
【００１３】
本発明の装飾ポール１では、この２つの開口部６、６の近傍における貫通孔５内にそれぞれ連結具１１の先端が掛止される掛止部７、７が設けられている（図３（ｂ））。
【００１４】
２つの開口部６、６の近傍における貫通孔５内にそれぞれ連結具１１の先端が掛止される掛止部７、７が設けられていることから、図４（ｂ）図示のように、本発明の装飾ポール１には、支柱体２の互いに対向する側から連結具１１の先端を掛止することができる。
【００１５】
そこで、本発明の装飾ポール１を複数本地面に設置し、複数本の装飾ポール１の中の一の装飾ポール１における掛止部７、７の中の一つの掛止部７に連結具１１の一方の先端を掛止し、複数本の装飾ポール１の中の一本であって一の装飾ポールに隣接して設置されている他の装飾ポール１における掛止部７、７の中の一つの掛止部７に連結具１１の他方の先端を掛止することにより、図５図示のように本発明の装飾ポールフェンス１２を形成することができる。
【００１６】
そこで、本発明の装飾ポール１は、図５図示の装飾ポールフェンス１２における端柱として使用することもできるし、中間柱や、中間貫通柱として使用することもできる。
【００１７】
なお、支柱体２の先端部２ａに取り付けられる装飾体３ａを、支柱体２の先端部２ａに対して取り付け、取り外し可能な構造にしておけば、装飾効果を高めた装飾ポール１、これを用いた装飾ポールフェンス１２とすることができる。
【実施例】
【００１８】
図１は、本発明の装飾ポールの一例を表す図である。
【００１９】
図示の装飾ポール１は、支柱体２と装飾体３ａとを備えている。装飾体３ａは、装飾が施された装飾体で、支柱体２の先端部２ａに取り付けられている。
【００２０】
支柱体２には、支柱体２を貫通する貫通孔５、５が上下方向に所定の間隔をあけて形成されている。貫通孔５、５によって支柱体２の中心部を中心として互いに対向して支柱体２の周面にそれぞれ形成される２つの開口部６、６の近傍における貫通孔５内にそれぞれ連結具１１の先端が掛止される掛止部７、７が形成されている（図４（ｂ））。
【００２１】
装飾ポール１は、図１図示のように、基端部２ｂを台座４に固定して住宅などの敷地や、路面などの地面８に設置され（図１（ａ））、あるいは、基端部２ｂを地面８に埋設して設置される（図１（ｂ））。
【００２２】
装飾ポール１を構成する支柱体２の形状は、例えば、角筒型や円筒型等の種々の形状を採用することができる。また、材質についても、住宅などの敷地や、路面などの地面８に設置されるポール、これによって形成されるフェンスの機能を発揮できるものであれば、特に限定はない。本実施形態では、アルミニウム製の断面矩形（４０ｍｍ角）の角筒型の支柱体２とした。
【００２３】
支柱体２の先端部２ａに備えられている装飾体３は、図２に示されるように、種々の形状のものとすることができる。図示の装飾体３ａ、３ｂ、３ｃはいずれもアルミニウム鋳物である。
【００２４】
装飾体３ａ、３ｂ、３ｃはそれぞれ基端部に、支柱体２の先端部２ａに着脱可能なボルト等の接続部材９を備えている。接続部材９は支柱体２の先端部２ａに設けられているボルト孔等の接続部１０へ着脱可能に取り付けられる。
【００２５】
任意の装飾体３ａ、３ｂ、３ｃを選択し、それを支柱体２の先端部２ａへ取り付けることにより、装飾ポール１の装飾効果を高めることができる。
【００２６】
支柱体２には、上述したように、支柱体２を貫通する貫通孔５、５が設けられている。図示の実施形態では内径３０ｍｍのアルミニウム製の丸パイプにより貫通孔５、５を形成している。
【００２７】
貫通孔５、５によって支柱体２の中心部を中心として互いに対向して支柱体２の周面にそれぞれ形成される２つの開口部６、６の近傍における貫通孔５内にそれぞれ連結具１１の先端が掛止される掛止部７、７が形成されている（図４（ｂ））。
【００２８】
開口部６近傍とは、図３（ａ）、（ｂ）図示のように、貫通孔５の内部であって、開口部６が形成されている支柱体２の外周面２ｃ側の位置である。
【００２９】
連結具１１は、図４に示されるようなチェーン等の連結具本体１１ａとフック形状の端部１１ｂから構成することができる。上述したように、住宅などの敷地や、路面などの地面８に設置されるフェンスの機能を発揮できるものであれば、これらの構成、組み合わせに、特に限定はない。
【００３０】
連結具１１の端部１１ｂは、掛止部７に掛止することができるものであれば、スナップフックやＣカン等の形状のものを採用することができる。
【００３１】
掛止部７は上述したように、住宅などの敷地や、路面などの地面８に設置されるフェンスの機能を発揮できるものであれば、その形状、構造に特に限定はないが、例えば、図示のように、貫通孔５を横断する棒状体の掛止部７とすることができる。図示の実施形態ではアルミニウム製の直径６ｍｍの丸棒とした。
【００３２】
図示の実施形態では、棒状体の掛止部７は、支柱体２が上下に延びる方向に直交する方向で貫通孔５を横断して配置されているが、連結具１１の端部１１ｂを掛止できればよいので、支柱体２が延びる上下方向で貫通孔５を横断する配置形態にすることもできるし、斜め方向に貫通孔５を横断する配置形態にすることもできる。
【００３３】
なお、掛止部７は上述したように、住宅などの敷地や、路面などの地面８に設置されるフェンスの機能を発揮できるものであれば、その形状、構造に特に限定はないので、上述し、図示したように、貫通孔５を横断する方向に延びる棒状体からなる掛止部７が、貫通孔５の一方の内周面から対向する他方の内周面まで伸びているのでなく、途中で終端している、棒状の突起構造からなる掛止部とすることもできる。
【００３４】
図５は、複数の装飾ポール１を複数の連結具１１で連結し、本発明の装飾ポールフェンス１２とした一例を表す図である。図示の例では、図１で説明したように、複数の支柱体２の基端部２ｂを台座４に固定して地面８に設置した。
【００３５】
２本の装飾ポール１、１を地面８に設置し、複数本の装飾ポール１、１の中の一の装飾ポール１（図５中、左側に設置されている装飾ポール１）における掛止部７、７の中の一つの掛止部７（図４（ｂ）における右側の掛止部７）に連結具１１の一方の先端（図５では、左側の端部）を掛止し、２本の装飾ポール１の中の一本であって一の装飾ポールに隣接して設置されている他の装飾ポール１（図５では右側に設置されている装飾ポール１）における掛止部７、７の中の一つの掛止部７（図４（ｂ）における左側の掛止部７）に連結具１１の他方の先端（図５では、左側の端部）を掛止することにより、装飾ポールフェンス１２としている。
【００３６】
図５では省略しているが、図５の左側及び、右側に、それぞれ同様にして、連結具１１で連結する装飾ポール１、１を複数本設置することができる。
【００３７】
そこで、本発明の装飾ポール１は、図５図示の装飾ポールフェンス１２における端柱として使用することもできるし、中間柱として使用することもできる。
【００３８】
また、支柱体２に形成されている貫通孔５を所定の大きさにすることによって、本発明の装飾ポール１は、図５図示の装飾ポールフェンス１２における中間貫通用の柱として使用することもできる。
【００３９】
この場合は、貫通孔５内に掛止部７が形成されていても、連結具１１の端部１１ｂ及び、連結具１１が、掛止部７と貫通孔５の内周壁面との間に形成されている空間部を挿通可能なように、貫通孔５の大きさを設定しておくことが望ましい。
【００４０】
例えば、棒状体からなる掛止部７が貫通孔５を横断する構造にする場合、開口部６の大きさは、掛止部７によって２つに区画される貫通孔５の内部の少なくともどちらか一方の区画の大きさが、連結具１１の端部１１ｂ及び、連結具１１が挿通可能な大きさとなっていることが望ましい。
【００４１】
図示の実施形態では、掛止部７によって上下２つに区画される貫通孔５の内部の少なくともどちらか一方の区画の大きさが、連結具１１の端部１１ｂ及び、連結具１１が挿通可能な大きさとなっていることが望ましい。
【００４２】
このような構造になっていれば、連結具１１の端部１１ｂ及び、連結具１１を簡単に貫通孔５を通過させることができるので、装飾ポール１を、図５図示の装飾ポールフェンス１２における中間貫通用の柱として使用する上で有利である。
【００４３】
また、貫通孔５の大きさが上述したようになっていると、掛止部７が貫通孔５の内部であって、開口部６が形成されている支柱体２の外周面２ｃ、２ｃ側の位置に設けられていることにより、連結具１１の端部１１ｂを貫通孔５内へスムーズに進入させながら掛止部７に掛止する上でも有利になる。
【００４４】
この装飾ポールフェンス１２でも任意の装飾が施されている装飾体３ａ、３ｂ、３ｃを支柱体２の先端部２ａへ取り付けることで、装飾ポールフェンス１２の装飾効果を高めることができる。
【００４５】
以上、添付図面を参照して本発明の好ましい実施形態を説明したが、本発明はかかる実施形態に限定されること無く、特許請求の範囲の記載から把握される技術的範囲において種々に変更可能である。
【符号の説明】
【００４６】
１      装飾ポール
２      支柱体
２ａ    支柱体の先端部
２ｂ    支柱体の基端部
２ｃ    開口部が形成されている外周面
３、３ａ、３ｂ、３ｃ  装飾体
４      台座
５      貫通孔
６      開口部
７      掛止部
８      地面
９      接続部材
１０    接続部
１１    連結具
１１ａ  連結具本体
１１ｂ  連結具の端部
１２    装飾ポールフェンス
【図１】
2016079656.tif 000003
【図２】
2016079656.tif 000004
【図３】
2016079656.tif 000005
【図４】
2016079656.tif 000006
【図５】
2016079656.tif 000007